(57)【要約】【課題】省スペースで食器皿（容器類）等を多く置ける配膳（陳列）器具を空間を利用し立体的につくる。食器皿（容器類）等に手が届き易くする。【解決手段】ボディ大１のアーム穴４にアーム大７を入れる。ボディ大１の上からボディ中２を入れアーム大７にのせボディ中２のアーム穴４にアーム中８を入れる。ボディ中２の上からボディ小３を入れアーム中８にのせボディ小３のアーム穴４にアーム小９を入れる。ボディ小３の上から中心棒１２を入れアーム小９、アーム中８、アーム大７の中心棒穴５に通しボディ大１の中心棒固定枠６に入れる。中心棒１２の頭に皿受け１９をネジ１４で結合させる。同様に各皿受けを結合させる。基盤１６のボディ大の固定枠２１にボディ大２１を通し、中心棒１２を基盤１６にネジ１４で結合させる。中心棒１２と基盤１６を結合させることで軸を安定させ、各ボディを固定しないことで各アームを回転させることが可能となった。【選択図】          図２７
2005040392.tif 000002
【特許請求の範囲】
【請求項１】
空間を利用することを前提に、支柱としてのボディに皿等を置くアームを結合させ、アームの先に皿受け（滑り止め防止付）をつけて食器皿等をのせ、料理等の皿（容器類）数を増やすことを可能にした食器皿（容器類）等の配膳（陳列）器具。
【請求項２】
ボディの中の中心棒を軸に、ボディを回転可能とし、それに伴いアームの回転を可能とし、皿（容器等）の空間位置を変更可能とした食器皿（容器類）等の配膳（陳列）器具。
【請求項３】
分解、組立てが可能のため、未使用時の省収納スペースや持ち運びの手軽さを可能にした食器皿（容器類）等の配膳（陳列）器具。
【発明の詳細な説明】
【技術分野】
【０００１】
本発明は、食器などの容器類を複数置くスペースがない場合において、ボディとアームの結合方法により、立体的に空間スペースを利用して容器類を可動式に複数置くことを可能にしたものである。
【背景技術】
【０００２】
回転式のテーブルや固定式の燭台等は存在したが、食器皿（容器類）等を対象にした空間を利用した回転式の配膳（陳列）器具はなく、必要以上に食器皿（容器類）等を置くことが出来ないという不都合があった。
【０００３】
この改善策として、食器皿（容器類）等を載せる皿受けのアームがそれぞれ回転可能となるようにボディもそれぞれに独立させ、立体的に重ねることで可能とした。
【発明の開示】
【発明が解決しようとする課題】
【０００４】
従来の平面的な配膳（陳列）では、食器皿（容器類）等を置くスペースが置きたい食器皿（容器類）等の合計面積分を下回った場合には食器皿（容器類）等で置けない、食器皿（容器類）等を増やせない場合がある、という不都合と、遠くに置かれた食器皿（容器類）等が届きにくい、という不都合があった。
【課題を解決するための手段】
【０００５】
上記課題を解決するために、食器皿（容器類）等を立体的な配膳（陳列）となるように空間を利用し、支柱としてのボディに皿を置くためのアームを結合させ、アームの先に皿受けをつけて食器皿（容器類）等をのせることにより、平面的に食器皿（容器類）等を置くスペース以上の面積、食器皿（容器類）等の数を増やすことを可能にした。ボディの中の中心棒を軸に、ボディを固定させず皿受けをのせたアームを回転させ、遠くの食器皿（容器類）等を近くに届きやすくすることを可能にした。
【発明の効果】
【０００６】
平面的な配膳（陳列）よりも食器皿（容器類）、料理等が多く置け、取りやすくなった。
【産業上の利用可能性】
【０００７】
生活必需品として食卓の料理皿の配膳器具と同様に、飲食業における料理数の増加への期待、テーブルコーディネートや小物インテリア等の個人趣味産業への派生での利用可能性が大きい。
【図面の簡単な説明】
【０００８】
【図１】アーム穴を正面にしたボディ大中小の側面図である。
【図２】アーム穴を正面にし透過させたボディ大中小の斜視図である。
【図３】アーム大中小を真上からみた図である。
【図４】アーム大中小の側面図である。
【図５】中心棒を透過させた斜視図である。
【図６】中心棒、基盤、皿受けに結合させるネジとネジ止めの図である。
【図７】基盤の断面図である。
【図８】基盤を真上からみた図である。
【図９】基盤を真下からみた図である。
【図１０】基盤の斜視図である。
【図１１】皿受け部分の断面図である。
【図１２】皿受け部分を真上からみた図である。
【図１３】ボディ大にアーム大を装着した図である。
【図１４】図１３の拡大図である。
【図１５】ボディ大とアーム大を装着した上にボディ中を装着した図である。
【図１６】ボディ中にアーム中を装着した図である。
【図１７】ボディ中とアーム中を装着した上にボディ小を装着し、ボディ小にアーム小を装着した図である。
【図１８】ボディとアームを装着後に中心棒を装着した図である。
【図１９】図１８の拡大図である。
【図２０】中心棒トップに皿受けを結合させた図である。
【図２１】図２０の拡大図である。
【図２２】アームに皿受けを結合させた図である。
【図２３】図２２の拡大図である。
【図２４】中心棒と基盤を結合し固定させた図である。
【図２５】図２４の拡大図である。
【図２６】配膳器具全体の断面図である。
【図２７】配膳器具全体を透過させた斜視図である。
【符号の説明】
【０００９】
１    ボディ大
２    ボディ中
３    ボディ小
４    アーム穴
５    中心棒穴
６    中心棒固定枠
７    アーム大
８    アーム中
９    アーム小
１０    皿受けネジ穴
１１    アームをボディに装着する目安マーク
１２    中心棒
１３    基盤と中心棒結合ネジ穴
１４    ネジ
１５    ネジ止め
１６    基盤
１７    基盤にボディ大を固定させる凹
１８    ネジ止め位置
１９    皿受け
２０    食器皿等の滑り止め部分
２１    ボディ大の固定枠
【図１】
2005040392.tif 000003
【図２】
2005040392.tif 000004
【図３】
2005040392.tif 000005
【図４】
2005040392.tif 000006
【図５】
2005040392.tif 000007
【図６】
2005040392.tif 000008
【図７】
2005040392.tif 000009
【図８】
2005040392.tif 000010
【図９】
2005040392.tif 000011
【図１０】
2005040392.tif 000012
【図１１】
2005040392.tif 000013
【図１２】
2005040392.tif 000014
【図１３】
2005040392.tif 000015
【図１４】
2005040392.tif 000016
【図１５】
2005040392.tif 000017
【図１６】
2005040392.tif 000018
【図１７】
2005040392.tif 000019
【図１８】
2005040392.tif 000020
【図１９】
2005040392.tif 000021
【図２０】
2005040392.tif 000022
【図２１】
2005040392.tif 000023
【図２２】
2005040392.tif 000024
【図２３】
2005040392.tif 000025
【図２４】
2005040392.tif 000026
【図２５】
2005040392.tif 000027
【図２６】
2005040392.tif 000028
【図２７】
2005040392.tif 000029